(57)【特許請求の範囲】
【請求項１】
ＷＤＭ光の各チャネルに対応する波長の異なる複数の信号光が合波された前記ＷＤＭ光を送信することが可能な光伝送装置であって、
複数の前記チャネルのうち、使用チャネルに対応した信号光を生成する光送信機と、
複数の入力ポートおよび１つの出力ポートを有し、前記複数の入力ポートに入力される各光が合波されて前記出力ポートから出力される合波器と、
前記合波器の出力光を増幅する光アンプと、
前記光アンプから出力される光の一部が分岐され、該分岐光に含まれる自然放出光のうち、前記使用チャネルに隣接する未使用チャネルに対応した波長帯域の自然放出光を、前記光送信機および前記光アンプの間を伝搬する信号光に合波するための経路であるＡＳＥ伝達部と、
を備え、
前記合波器の複数の入力ポートのうち、前記使用チャネルに対応する入力ポートに前記光送信機が接続され、かつ、前記未使用チャネルに対応する入力ポートは光送信機が未接続の空きポートである、ことを特徴とする光伝送装置。
【請求項２】
請求項１に記載の光伝送装置であって、
前記ＡＳＥ伝達部は、
前記光アンプの出力端に接続され、前記光アンプから出力される光の一部を分岐する光カプラと、
前記光カプラで分岐された光のパワーを制御し、該パワーの制御された光を、前記合波器の複数の入力ポートのうちで前記未使用チャネルに対応した入力ポートに与える光パワー制御部と、
を含むことを特徴とする光伝送装置。
【請求項３】
請求項２に記載の光伝送装置であって、
前記光パワー制御部は、
前記光カプラで分岐された光が入力され、該入力光のパワーを可変の光減衰量に従って調整し、該パワーの調整された光を、前記合波器の前記未使用チャネルに対応した入力ポートに与える可変光減衰器と、
前記可変光減衰器を含む前記自然放出光のフィードバックループ上を伝搬する光のパワーをモニタするモニタ部と、
前記モニタ部でモニタされる光パワーに基づいて、フィードバックされる前記自然放出光のループゲインを求め、該ループゲインが０ｄＢ未満となるように、前記可変光減衰器の光減衰量を制御する制御器と、
を有することを特徴とする光伝送装置。
【請求項４】
請求項１に記載の光伝送装置であって、
前記ＡＳＥ伝達部は、
前記光アンプの出力端に接続され、前記光アンプから出力される光の一部を分岐する光カプラと、
少なくとも２つの入力端子と１つの出力端子を有し、前記合波器の出力光が一方の入力端子に与えられると共に、前記光カプラで分岐された光が他方の入力端子に与えられ、前記各入力端子に与えられた光を、該光に含まれる波長成分に応じて選択的に前記出力端子に結合させることが可能であり、該出力端子に結合した光を前記光アンプに与える波長選択スイッチと、
前記波長選択スイッチの一方の入力端子に与えられる信号光、および、前記波長選択スイッチの他方の入力端子に与えられる光に含まれる自然放出光のうちで、前記未使用チャネルに対応した波長帯域の自然放出光が、前記波長選択スイッチの出力端子に結合されるように、前記波長選択スイッチの動作を制御する制御部と、
を含むことを特徴とする光伝送装置。
【請求項５】
請求項４に記載の光伝送装置であって、
前記制御部は、前記ＷＤＭ光の使用チャネルに隣接する複数の未使用チャネルに対応した波長帯域の自然放出光が、前記波長選択スイッチの出力端子に結合されるように、前記波長選択スイッチの動作を制御することを特徴とする光伝送装置。
【請求項６】
請求項４または５に記載の光伝送装置であって、
前記制御部は、
前記波長選択スイッチを含む前記自然放出光のフィードバックループ上を伝搬する光のパワーをモニタするモニタ部と、
前記ＷＤＭ光の使用チャネルに関する情報に応じて、前記波長選択スイッチで選択する信号光および自然放出光の波長帯域を制御すると共に、前記モニタ部でモニタされる光パワーに基づいて、フィードバックされる前記自然放出光のループゲインを求め、該ループゲインが０ｄＢ未満となるように、前記波長選択スイッチにおける前記自然放出光の出力端子への結合パワーを制御する制御器と、
を有することを特徴とする光伝送装置。
【請求項７】
請求項１に記載の光伝送装置であって、
前記光送信機および前記光アンプの間を伝搬する信号光に前記ＡＳＥ伝達部を通じて合波される前記自然放出光は、前記未使用チャネルに対応した波長帯域に制限される、ことを特徴とする、光伝送装置。
【請求項８】
ＷＤＭ光の各チャネルに対応する波長の異なる複数の信号光が合波された前記ＷＤＭ光を送受信することが可能な光伝送装置であって、
複数の前記チャネルのうち、使用チャネルに対応した信号光を生成する光送信機と、
複数の入力ポートおよび１つの出力ポートを有し、前記複数の入力ポートに入力される各光が合波されて前記出力ポートから出力される合波器と、
前記合波器の出力光を増幅して外部に送信する第１光アンプと、
外部から受信したＷＤＭ光を増幅する第２光アンプと、
１つの入力ポートおよび複数の出力ポートを有し、前記第２光アンプの出力光が前記入力ポートに与えられ、該入力光を波長に応じて分離して前記各出力ポートから出力する分波器と、
前記分波器の複数の出力ポートのうちで前記ＷＤＭ光の使用チャネルに対応する出力ポートに接続され、前記分波器から出力される信号光を受信処理する光受信機と、
前記第２光アンプの出力光に含まれる自然放出光のうちで、前記使用チャネルに隣接する未使用チャネルに対応した波長帯域の自然放出光を、前記光送信機および前記第１光アンプの間を伝搬する信号光に合波するための経路であるＡＳＥ伝達部と、
を備え、
前記合波器の複数の入力ポートのうち、前記使用チャネルに対応する入力ポートに前記光送信機が接続され、かつ、前記未使用チャネルに対応する入力ポートは光送信機が未接続の空きポートである、ことを特徴とする光伝送装置。
【請求項９】
請求項８に記載の光伝送装置であって、
前記ＡＳＥ伝達部は、前記分波器の複数の出力ポートのうちで前記未使用チャネルに対応する出力ポートから出力される光のパワーを制御し、該パワーの制御された光を、前記合波器の複数の入力ポートのうちで前記未使用チャネルに対応した入力ポートに与える光パワー制御部を含むことを特徴とする光伝送装置。
【請求項１０】
請求項８に記載の光伝送装置であって、
前記ＡＳＥ伝達部は、
前記第２光アンプの出力端に接続され、前記第２光アンプから出力される光の一部を分岐する光カプラと、
少なくとも２つの入力端子と１つの出力端子を有し、前記合波器の出力光が一方の入力端子に与えられると共に、前記光カプラで分岐された光が他方の入力端子に与えられ、前記各入力端子に与えられた光を、該光に含まれる波長成分に応じて選択的に前記出力端子に結合させることが可能であり、該出力端子に結合した光を前記第１光アンプに与える波長選択スイッチと、
前記波長選択スイッチの一方の入力端子に与えられる信号光、および、前記波長選択スイッチの他方の入力端子に与えられる光に含まれる自然放出光のうちで、前記未使用チャネルに対応した波長帯域の自然放出光が、前記波長選択スイッチの出力端子に結合されるように、前記波長選択スイッチの動作を制御する制御部と、
を含むことを特徴とする光伝送装置。
【請求項１１】
請求項８に記載の光伝送装置であって、
前記光送信機および前記第１光アンプの間を伝搬する信号光に前記ＡＳＥ伝達部を通じて合波される前記自然放出光は、前記未使用チャネルに対応した波長帯域に制限される、ことを特徴とする、光伝送装置。
【請求項１２】
請求項１〜１１のいずれか１つに記載の光伝送装置を、伝送路の末端に接続することを特徴とする光伝送システム。
【発明の詳細な説明】
【技術分野】
【０００１】
本発明は、波長分割多重（Wavelength Division Multiplexing：ＷＤＭ）技術が適用された光伝送装置および光伝送システムに関する。
【背景技術】
【０００２】
近年、情報容量の拡大に伴い、波長の異なる複数の信号光が合波されたＷＤＭ光を、光増幅器を用いて多中継伝送するＷＤＭ光伝送システムが、システムの経済化を図る上で大きな役割を果たすようになっている。このＷＤＭ光伝送システムでは、用途に応じてノードの構成を使い分けることで、より経済的なシステムが実現される。
【０００３】
図１は、一般的なＷＤＭ光伝送システムにおけるノードの構成例を示す図である。このＷＤＭ光伝送システム１００では、複数のノードとして、ターミナル局１１０，１５０、光分岐挿入（Optical Add/Drop Multiplexing：ＯＡＤＭ）局１３０および中継局１２０
，１４０が備えてられている。
【０００４】
ターミナル局１１０，１５０は、信号光が一方向に伝送される伝送路Ｌの両端（送信端および受信端）にそれぞれ接続する末端ノードである。送信側ターミナル局１１０は、ＷＤＭ光の使用チャネルに対応した光送信機（ＴＸ）１１１から出力される信号光を合波器１１２で合波した後に光アンプ（ＡＭＰ）１１３で増幅して伝送路Ｌに送信する。この送信側ターミナル局１１０は、各チャネルに対応した信号光の伝搬経路（光パス）の始点となる。受信側ターミナル局１５０は、伝送路Ｌを伝搬したＷＤＭ光を光アンプ１５１で増幅した後に分波器１５２で各チャネルの信号光に分波し、各々の信号光を対応する光受信機（ＲＸ）１５３で受信処理する。この受信側ターミナル局１１０は各光パスの終点となる。
【０００５】
ＯＡＤＭ局１３０は、伝送路Ｌの途中に配置されるＯＡＤＭ機能を有するノードである。このＯＡＤＭ局１３０は、伝送路Ｌより受信したＷＤＭ光をプリアンプ（ＰｒｅＡＭＰ）１３１で増幅した後に分波器１３２で各波長の信号光に分波し、当該ノードで分岐する信号光（ＤＲＯＰ）を受信機（ＲＸ）１３３に与える。また、ＯＡＤＭ局１３０は、分波器１３２で分波された残りの信号光（ＴＨＲＵ）および送信機（ＴＸ）１３４から出力される信号光（ＡＤＤ）を合波器１３５で合波し、当該ＷＤＭ光をポストアンプ（ＰｏｓｔＡＭＰ）１３６で増幅して伝送路Ｌに送信する。上記ＯＡＤＭ局１３０は、ＷＤＭ光のチャネル毎に、光パスの始終点となるか、または、光パスを終端せずに次ノードへ中継する中継点となるかが選択可能である。
【０００６】
中継局１２０，１４０は、伝送路Ｌの途中に配置される光中継ノードであり、伝送路Ｌの損失特性により光レベルが低下したＷＤＭ光をインラインアンプ（In Line Amplifier
：ＩＬＡ）１２１，１４１に与えて増幅することで当該伝送路損失を補償する。この中継局１２０，１４０は、各波長に対応した光パスの中継点となる。
【０００７】
上記のようなＷＤＭ光伝送システムでは、各ノードに具備される光アンプとして、ＷＤＭ光を一括して効率よく増幅できることから、エルビウム添加光ファイバ増幅器（Erbium
Doped Fiber Amplifier：ＥＤＦＡ）が広く利用されている。ＥＤＦＡについては、パワーの強い信号光がエルビウム添加ファイバ（ＥＤＦ）に入力されると、該信号光の偏波方向に平行な偏波を有する光の利得が抑えられる偏波ホールバーニング（Polarization Hole Burning：ＰＨＢ）と呼ばれる物理現象が発生することが知られている。
【０００８】
ＷＤＭ光伝送システムでは、ＷＤＭ光に含まれるチャネル数を任意に設定または制御することができ、少数チャネル（例えば、１チャネル）の信号光が伝送される場合、多数チャネルの信号光が伝送される場合に比べて、伝送光の偏光度が高くなる。このような偏光度の高い信号光がＥＤＦＡに入力されると、上記ＰＨＢの発生により、増幅光の信号対雑音比（Optical Signal to Noise Ratio：ＯＳＮＲ）の劣化が顕著に起こる。すなわち、
偏光度の高い信号光に対する利得、および、該信号光の偏波方向に平行な偏波の自然放出光（Amplified Spontaneous Emission：ＡＳＥ）に対する利得はＰＨＢにより抑えられる一方、上記信号光の偏波方向に垂直な偏波のＡＳＥに対する利得はＰＨＢの影響を受けないので相対的に大きくなる。その結果、ＰＨＢの発生がない場合と比較すると、信号光の偏波方向に垂直な偏波のＡＳＥの割合が増加し、ＯＳＮＲの劣化が起こることになる。
【０００９】
上記のようなＰＨＢによるＯＳＮＲの劣化を抑制するための従来技術として、例えば、特許文献１，２には、ＥＤＦＡに入力される信号光の偏波状態を変調等により変化させて、該信号光の偏光度を低下させることにより、ＰＨＢの発生を抑えるようにした技術が開示されている。また、特許文献３には、ＯＡＤＭ局について、プリアンプで発生するＡＳＥのうちで、使用チャネルに隣接する未使用チャネルに対応した波長帯域のＡＳＥを信号光と一緒にポストアンプ（ＥＤＦＡ）に与えることにより、該ポストアンプへの入力光の偏光度を低下させてＰＨＢの発生を抑え、ＯＳＮＲの劣化を抑制するようにした技術が提案されている。このＡＳＥを利用した従来技術は、信号光の偏波状態を直接的に変化させるものではなく、近隣未使用チャネルの無偏光なＡＳＥにより間接的に信号光の偏光度を下げるものであるため、簡略な構成により実現することができ、信号光に及ぼす影響も小さいなどの利点がある。
【先行技術文献】
【特許文献】
【００１０】
【特許文献１】特開平７−２２６８３号公報
【特許文献２】特開平８−３１６９１０号公報
【特許文献３】特開２００９−２９０５９３号公報
【発明の概要】
【発明が解決しようとする課題】
【００１１】
しかしながら、上記のようなＡＳＥを利用した従来技術については、ＯＡＤＭ局以外のノードへの適用が基本的に難しいという課題がある。すなわち、この従来技術によるＰＨＢの抑圧は、上流における増幅で発生する無偏光なＡＳＥを利用して、下流の光アンプ（ＥＤＦＡ）への入力光の偏光度を低下させることにより実現される。このため、例えば、上記図１に示したＷＤＭ光伝送システム１００における送信側ターミナル局１１０のように上流にＡＳＥの発生源が存在しないノードについて、従来技術の適用によりＰＨＢの発生を抑えることは困難である。したがって、偏光度の高い信号光が送信側ターミナル局内の光アンプ（ＥＤＦＡ）に入力されると、該光アンプから出力される信号光のＯＳＮＲ劣化は避けられない。特に、送信側ターミナル局からＯＡＤＭ局までの区間に中継局が多数配置されている場合、送信側ターミナル局で発生するＰＨＢの影響が当該区間の全体に及ぶため、信号光のＯＳＮＲ劣化が顕著になる。つまり、図１に示したようなノード構成について、従来技術を適用することにより、ＯＡＤＭ局以降の下流ノードにおけるＰＨＢの抑圧は可能になるものの、ＷＤＭ光伝送システムの全体に亘ってＰＨＢによる信号光のＯＳＮＲ劣化を抑制することはできない。
【００１２】
本発明は上記の点に着目してなされたもので、信号光の送信端に位置するノードにおいてもＰＨＢによる信号光のＯＳＮＲ劣化を抑制することのできる光伝送装置および光伝送システムを提供することを目的とする。
【課題を解決するための手段】
【００１３】
上記の目的を達成するため、本発明による光伝送装置の一態様は、波長の異なる複数の信号光が合波されたＷＤＭ光を送信することが可能な光伝送装置であって、前記ＷＤＭ光の使用チャネルに対応した信号光を生成する光送信機と、複数の入力ポートおよび１つの出力ポートを有し、前記光送信機で生成された信号光が前記複数の入力ポートのうちで前記ＷＤＭ光の使用チャネルに対応する入力ポートに与えられ、前記複数の入力ポートに入力される各光を合波して前記出力ポートから出力する合波器と、前記合波器の出力光を増幅する光アンプと、前記光アンプから出力される光の一部を分岐し、該分岐光に含まれる自然放出光のうちで、前記ＷＤＭ光の使用チャネルに隣接する未使用チャネルに対応した波長帯域の自然放出光を、前記光送信機および前記光アンプの間を伝搬する信号光に合波するための経路を形成するＡＳＥ伝達部と、を備えるものである。
【００１４】
また、本発明による光伝送装置の他の態様は、波長の異なる複数の信号光が合波されたＷＤＭ光を送受信することが可能な光伝送装置であって、前記ＷＤＭ光の使用チャネルに対応した信号光を生成する光送信機と、複数の入力ポートおよび１つの出力ポートを有し、前記光送信機で生成された信号光が、前記複数の入力ポートのうちで前記ＷＤＭ光の使用チャネルに対応する入力ポートに与えられ、前記複数の入力ポートに入力される各光を合波して前記出力ポートから出力する合波器と、前記合波器の出力光を増幅して外部に送信する第１光アンプと、外部から受信したＷＤＭ光を増幅する第２光アンプと、１つの入力ポートおよび複数の出力ポートを有し、前記第２光アンプの出力光が前記入力ポートに与えられ、該入力光を波長に応じて分離して前記各出力ポートから出力する分波器と、前記分波器の複数の出力ポートのうちで前記ＷＤＭ光の使用チャネルに対応する出力ポートに接続され、前記分波器から出力される信号光を受信処理する光受信機と、前記第２光アンプの出力光に含まれる自然放出光のうちで、前記ＷＤＭ光の使用チャネルに隣接する未使用チャネルに対応した波長帯域の自然放出光を、前記光送信機および前記第１光アンプの間を伝搬する信号光に合波するための経路を形成するＡＳＥ伝達部と、を備えるものである。
【発明の効果】
【００１５】
上記のような光伝送装置によれば、少数チャネルの信号光を送信する場合であっても、光アンプに入力される光は、ＷＤＭ光の使用チャネルに隣接する未使用チャネルに対応した波長帯域のＡＳＥを含むようになるため、該光アンプへの入力光の偏光度が低下してＰＨＢの発生を抑えることができ、ＰＨＢによる信号光のＯＳＮＲ劣化を抑制することが可能になる。
【図面の簡単な説明】
【００１６】
【図１】一般的なＷＤＭ光伝送システムにおけるノードの構成例を示す図である。
【図２】第１実施形態の光伝送装置の構成を示すブロック図である。
【図３】上記第１実施形態における光アンプの出力光スペクトルを模式的に示した図である。
【図４】第２実施形態の光伝送装置の構成を示すブロック図である。
【図５】上記第２実施形態における光アンプの出力光スペクトルを模式的に示した図である。
【図６】第３実施形態の光伝送装置の構成を示すブロック図である。
【図７】第４実施形態の光伝送装置の構成を示すブロック図である。
【発明を実施するための形態】
【００１７】
以下、本発明の実施の形態について添付図面を参照しながら詳細に説明する。
図２は、本発明による光伝送装置の第１実施形態の構成を示すブロック図である。
図２において、第１実施形態の光伝送装置１は、例えば、光送信機（ＴＸ）１１、合波
器１２、光アンプ（ＡＭＰ）１３およびＡＳＥ伝達部２０を備える。この光伝送装置１は、上述の図１に示した一般的なＷＤＭ光伝送システムにおける送信側ターミナル局１１０に相当するものであり、該送信側ターミナル局１１０についてＡＳＥ伝達部２０を追設している。ＡＳＥ伝達部２０は、光アンプ１３の出力光の一部を、合波器１２の各チャネルに対応した複数の入力ポートのうちで使用チャネルに隣接する未使用チャネルに対応した入力ポートに与える経路を形成する。このＡＳＥ伝達部２０により、光伝送装置１は、光アンプ１３で発生する自然放出光（ＡＳＥ）を利用して、該光アンプ１３への入力光の偏光度を低下させ、ＰＨＢの発生を抑えている。
【００１８】
具体的に、光送信機１１は、所定波長の光を周知の光変調方式に従って変調した高い偏光度を有する信号光を生成し、該信号光を合波器１２に出力する。この光送信機１１は、光伝送装置１から出力するＷＤＭ光のチャネル数の設定に応じて必要な台数が用意される。各光送信機１１の出力波長は、ＷＤＭ光のグリッド波長に対応させて互いに異なる値に設定される。
【００１９】
合波器１２は、ＷＤＭ光の最大チャネル数Ｎに対応した複数の入力ポートＰｉｎ１〜ＰｉｎＮおよび１つの出力ポートＰｏｕｔを有し、各入力ポートＰｉｎ１〜ＰｉｎＮに入力される光を合波して出力ポートＰｏｕｔから光アンプ１３に出力する。この合波器１２の各入力ポートＰｉｎ１〜ＰｉｎＮは、ＷＤＭ光のグリッド波長に対応した通過帯域をそれぞれ有しており、該通過帯域よりも広帯域の光が入力された場合には、通過帯域内の成分のみを出力ポートＰｏｕｔに導くフィルタ特性を持つ。このような合波器１２の具体例としては、アレイ導波路格子（Arrayed Waveguide Grating：ＡＷＧ）等を挙げることがで
きる。
【００２０】
上記合波器１２の各入力ポートＰｉｎ１〜ＰｉｎＮに対する光送信機１１の接続に関して、光伝送装置１が適用されるＷＤＭ光伝送システムでは、通常、システムの初期導入時などの通信需要が比較的少ない場合に、ＷＤＭ光のチャネル数を少なく設定してシステムを運用することにより、システムの初期導入コストを抑えている。例えば、ＷＤＭ光を１チャネルに設定してシステムを運用する場合、光伝送装置１にはチャネルＣｈ１に対応した１台の光送信機１１のみを用意し、該光送信機１１を合波器１２のチャネルＣｈ１に対応した入力ポートＰｉｎ１に接続しておく（図２参照）。そして、通信需要が増加した場合に光送信機１１を増設することにより経済的な装置構成を実現している。このような運用形態では、通常、合波器１２の未使用チャネルに対応した入力ポートは空きポートとされるため、少数チャネル設定時に、合波器１２を介して光アンプ１３に入力される光の偏光度が高くなり、該光アンプ１３でＰＨＢが発生する。そこで、本実施形態ではＡＳＥ伝達部２０を設けることにより、少数チャネル設定時のＰＨＢの発生が抑えられるようにしている。
【００２１】
光アンプ１３は、合波器１２からの出力光を増幅する一般的なエルビウム添加光ファイバ増幅器（ＥＤＦＡ）である。この光アンプ１３は、図示しない制御回路により、１チャネル当たりの信号光の出力パワーを所定のレベルで一定にする出力一定制御（ＡＬＣ）が行われるようにするのが好ましい。
【００２２】
ＡＳＥ伝達部２０は、例えば、光カプラ２１，２３、可変光減衰器（Variable Optical
Attenuator：ＶＯＡ）２２、フォトダイオード（ＰＤ）２４および制御器２５を具備す
る。
光カプラ２１は、光アンプ１３の出力端に接続されている。この光カプラ２１は、光アンプ１３から出力される光の一部、すなわち、増幅された信号光およびその増幅時に発生する広帯域のＡＳＥの一部を、予め設定した分岐比に従って分岐し、該分岐光をＶＯＡ２２に送る。
【００２３】
ＶＯＡ２２は、光カプラ２１からの分岐光を、制御器２５により制御される可変の光減衰量に従って減衰させて出力する。このＶＯＡ２２の出力光は、光カプラ２３を介して、合波器１２の複数の入力ポートＰｉｎ１〜ＰｉｎＮのうちで、使用チャネルに隣接する未使用チャネルに対応した入力ポートに与えられる。具体的に、図２に示した例では、チャネルＣｈ１の信号光のみが使用されており、該チャネルＣｈ１に隣接する未使用チャネルはチャネルＣｈ２となるので、ＶＯＡ２２の出力光は、合波器１２のチャネルＣｈ２に対応した入力ポートＰｉｎ２に与えられることになる。
【００２４】
光カプラ２３は、ＶＯＡ２２の出力端に接続され、ＶＯＡ２２から合波器１２に送られる光の一部をモニタ光として分岐し、該モニタ光をＰＤ２４に出力する。ＰＤ２４は、光カプラ２３からのモニタ光を受光し、当該受光パワーに応じてレベルが変化する電気信号を生成し、該電気信号を制御器２５に出力する。なお、ここではＶＯＡ２２の出力端に光カプラ２３を配置して、合波器１２にフィードバックする光のパワーをモニタする一例を示したが、該光パワーのモニタ位置は上記に限定されるものではなく、ＡＳＥのフィードバックループ上の任意の位置でパワーをモニタすることが可能である。
【００２５】
制御器２５は、ＰＤ２４から出力される電気信号に基づいて、フィードバックされるＡＳＥのループゲインを求め、該ループゲインが０ｄＢ未満となるようにＶＯＡ２２の光減衰量を制御する。この制御器２５によるＶＯＡ２２の制御によって光アンプ１３の発振が抑圧されるようになる。
【００２６】
上記のような構成の光伝送装置１では、ＷＤＭ光の使用チャネルに対応する光送信機１１で生成された信号光が、合波器１２を通って光アンプ１３に与えられる。ここでは、具体的な一例として、光アンプ１３でのＰＨＢの影響が最も大きいＣ−バンドの短波長側（１５３０ｎｍ付近）に配置されるチャネルＣｈ１のみを使用して信号光を伝送する場合を想定する。ただし、本発明における信号光の波長が上記の一例に限定されることを意味するものではない。この場合、光送信機１１から出力されるチャネルＣｈ１の信号光が、合波器１２の入力ポートＰｉｎ１から出力ポートＰｏｕｔを通過して光アンプ１３に入力され、ＡＬＣ動作する光アンプ１３で所要のレベルに増幅される。このとき、光アンプ１３では、信号波長を含む広帯域のＡＳＥが発生し、該ＡＳＥが増幅後の信号光と一緒に出力される。
【００２７】
上記光アンプ１３の出力光は、光伝送装置１に接続される伝送路Ｌ（図１参照）に送信されると共に、その一部がＡＳＥ伝達部２０の光カプラ２１により分岐され、該分岐光が、ＶＯＡ２２および光カプラ２３を通過して、合波器１２の使用チャネルＣｈ１に隣接する未使用チャネルＣｈ２に対応した入力ポートＰｉｎ２に与えられる。合波器１２の入力ポートＰｉｎ２は、上記未使用チャネルＣｈ２に対応した通過帯域を有しており、該通過帯域内に含まれるＡＳＥのみが出力ポートＰｏｕｔに導かれる。つまり、合波器１２の入力ポートＰｉｎ２に戻された光（光アンプ１３の出力光の一部）は、入力ポートＰｉｎ２の通過帯域外の信号光およびＡＳＥが除去される一方、該通過帯域内のＡＳＥがチャネルＣｈ１の信号光と合波されて出力ポートＰｏｕｔから光アンプ１３に出力される。これにより、使用チャネルＣｈ１に隣接する未使用チャネルＣｈ２に対応した波長帯域のＡＳＥについてのフィードバックループが形成される。
【００２８】
上記フィードバックループの形成により、光アンプ１３のＡＬＣは、チャネルＣｈ１，Ｃｈ２に対応する２チャネル分の信号疎通状態で出力レベルが一定になるように光アンプ１３の増幅動作を制御する。また、ＡＳＥのフィードバックループが発振して光アンプ１３が制御不能になるのを防ぐために、制御部２５によるＶＯＡ２２の制御が行われる。このＶＯＡ２２の制御では、光カプラ２３およびＰＤ２４を用いてフィードバックループ上
を伝搬する光（図２の例では、ＶＯＡ２２の出力光）のパワーがモニタされ、該モニタ結果に基づいて、制御部２５がループゲインを求める。そして、該ループゲインが０ｄＢ未満となるように、ＶＯＡ２２における光減衰量が制御部２５によって制御される。
【００２９】
上記のような光アンプ１３およびＶＯＡ２２の制御によって、未使用チャネルＣｈ２に対応する波長帯域のＡＳＥパワーは、２チャネル分の信号伝送時に相当するレベルまで成長する。図３は、光アンプ１３の出力光スペクトルを模式的に示した図であり、チャネルＣｈ２に対応するＡＳＥのパワー（図中のＣｈ２に対応する斜線部の面積）が、チャネルＣｈ１に対応する信号光およびＡＳＥのパワーと同等レベルになっている。
【００３０】
したがって、合波器１２の出力ポートＰｏｕｔから出力されて光アンプ１３に入力される光は、上記チャネルＣｈ２に対応するＡＳＥを含むことになるため、チャネルＣｈ１の信号光が高い偏光度を有していても、該信号光に隣接する波長帯域に信号光と同等レベルのパワーを有する無偏光なＡＳＥが存在することで、光アンプ１３への入力光の偏光度は低下する。よって、光伝送装置１は、少数チャネルの信号光を送信する場合であっても、光アンプ１３におけるＰＨＢの発生を抑えることができるので、従来のようなＰＨＢによるＯＳＮＲの劣化を抑制することが可能である。
【００３１】
次に、本発明による光伝送装置の第２実施形態について説明する。
図４は、第２実施形態の構成を示すブロック図である。この第２実施形態の光伝送装置２は、上述した第１実施形態の光伝送装置１について、光アンプ１３で発生するＡＳＥを合波器１２に戻して信号光と合波させていたＡＳＥ伝達部２０に代えて、波長選択スイッチ（Wavelength Selective Switch：ＷＳＳ）を利用して信号光とＡＳＥの合波を行うＡ
ＳＥ伝達部３０を設けたものである。なお、光伝送装置２におけるＡＳＥ伝達部３０以外の構成は、上述した第１実施形態の構成と同様であるため、対応部分に同一符号を付してその説明を省略する。
【００３２】
上記ＡＳＥ伝達部３０は、例えば、光カプラ３１，３３、ＷＳＳ３２、フォトダイオード（ＰＤ）３４および制御器３５を具備する。
光カプラ３１は、光アンプ１３の出力端に接続されており、光アンプ１３から出力される光（増幅された信号光およびその増幅時に発生する広帯域のＡＳＥ）の一部を、予め設定した分岐比に従って分岐し、該分岐光をＷＳＳ３２に送る。
【００３３】
ＷＳＳ３２は、少なくとも２つの入力端子と１つの出力端子を有し、各入力端子に与えられる光を、該光に含まれる波長成分に応じて選択的に出力端子に結合させることが可能な公知の光デバイスである。ここでは、ＷＳＳ３２の一方の入力端子に対して、合波器１２の出力ポートＰｏｕｔから出力される光が与えられ、ＷＳＳ３２の他方の入力端子に対しては、光カプラ３１で分岐された光が与えられている。ＷＳＳ３２の出力端子から出力される光は、光カプラ３３を介して光アンプ１３に与えられる。上記ＷＳＳ３２において選択される光の波長および該光の出力端子への結合パワーは、制御部３５からの出力信号に従って、ＷＳＳ３２の内部に各チャネルに対応させて設けられた図示しない可動ミラーの反射面の角度等を調整することにより可変制御される。
【００３４】
光カプラ３３は、例えば、ＷＳＳ３２の出力端子に接続され、ＷＳＳ３２から光アンプ１３に送られる光の一部をモニタ光として分岐し、該モニタ光をＰＤ３４に出力する。ＰＤ３４は、光カプラ３３からのモニタ光を受光し、当該受光パワーに応じてレベルが変化する電気信号を生成し、該電気信号を制御器３５に出力する。なお、ここではＷＳＳ３２の出力端子に光カプラ３３を配置する一例を示したが、該光カプラ３３の配置は上記に限定されるものではなく、上述した第１実施形態の光カプラ２３と同様に、ＡＳＥのフィードバックループ上の任意の位置に光カプラ３３を配置することが可能である。
【００３５】
制御器３５は、ＷＤＭ光の使用チャネルに関する情報に応じてＷＳＳ３２で選択する光の波長を制御すると共に、ＰＤ３４から出力される電気信号に基づいて、フィードバックされるＡＳＥのループゲインを求め、該ループゲインが０ｄＢ未満となるように、ＷＳＳ３２で選択する光の出力端子への結合パワーを制御する。この制御器３５によるＷＳＳ３２の制御によって、光アンプ１３で発生する広帯域なＡＳＥのうちで使用チャネルに隣接する未使用チャネルに対応した波長帯域のＡＳＥが、使用チャネルの信号光と合波されて光アンプ１３に入力されるようになると同時に、光アンプ１３の発振が抑圧されるようになる。
【００３６】
上記のような構成の光伝送装置２では、上述した第１実施形態の場合と同様にして、光アンプ１３でのＰＨＢの影響が最も大きいＣ−バンドの短波長側（１５３０ｎｍ付近）に配置されるチャネルＣｈ１のみを使用して信号光を伝送する場合を想定すると、光送信機１１から出力されるチャネルＣｈ１の信号光が、合波器１２を通過してＷＳＳ３２の一方の入力端子に与えられる。ＷＳＳ３２では、一方の入力端子に与えられた信号光が、最大の結合パワーで出力端子に導かれる。そして、ＷＳＳ３２を通過した信号光は、光カプラ３３を介して光アンプ１３に入力され、ＡＬＣ動作する光アンプ１３で所要のレベルに増幅される。このとき、光アンプ１３では、信号波長を含む広帯域のＡＳＥが発生し、該ＡＳＥが増幅後の信号光と一緒に出力される。
【００３７】
上記光アンプ１３の出力光は、光伝送装置２に接続される伝送路Ｌ（図１参照）に送信されると共に、その一部がＡＳＥ伝達部３０の光カプラ３１により分岐され、ＷＳＳ３２の他方の入力端子に与えられる。ＷＳＳ３２では、他方の入力端子への入力光について、チャネルＣｈ１に隣接する未使用チャネルＣｈ２に対応した波長帯域のＡＳＥが選択されて出力端子に結合される。さらに、ここではＷＳＳ３２が任意のチャネルに対応した波長帯域を選択可能という特性を利用して、未使用チャネルＣｈ３に対応した波長帯域のＡＳＥも出力端子に結合されるように、ＷＳＳ３２での選択波長が制御器３５により制御される。その結果、チャネルＣｈ２，Ｃｈ３に対応したＡＳＥがチャネルＣｈ１の信号光と合波されてＷＳＳ３２の出力端子から光アンプ１３に向けて出力されるようになる。これにより、使用チャネルＣｈ１に隣接する未使用チャネルＣｈ２，Ｃｈ３に対応した波長帯域のＡＳＥについてのフィードバックループが形成される。
【００３８】
上記フィードバックループの形成により、上述した第１実施形態の場合と同様にして、光アンプ１３のＡＬＣは、２チャネル分の信号疎通状態で出力レベルが一定になるように光アンプ１３の増幅動作を制御する。ここでは、ＡＳＥのフィードバックが２つのチャネルＣｈ２，Ｃｈ３について行われるので、図５に示すように、チャネルＣｈ１に対応する信号光およびＡＳＥのパワーに対して、各チャネルＣｈ２，Ｃｈ３に対応するＡＳＥのパワーの和が同等レベルとなる。これにより、チャネルＣｈ１の信号光に最も近いチャネルＣｈ２のＡＳＥをより低いレベルにしつつ、光アンプ１３への入力光の偏光度を低下させることができる。よって、チャネルＣｈ１の信号光とチャネルＣｈ２のＡＳＥとのクロストーク等が発生し難くなる。
【００３９】
また、ＡＳＥのフィードバックループが発振して光アンプ１３が制御不能になるのを防ぐために、制御部３５によるＷＳＳ３２の制御が行われる。このＷＳＳ３２の制御では、光カプラ３３およびＰＤ３４を用いてフィードバックループ上を伝搬する光（図４の例では、ＷＳＳ３２の出力光）のパワーがモニタされ、該モニタ結果に基づいて、制御部３５がＡＳＥのループゲインを求める。そして、該ループゲインが０ｄＢ未満となるように、ＷＳＳ３２で選択されるＡＳＥの出力端子への結合パワーが制御部３５によって制御される。
【００４０】
上記のような光アンプ１３およびＷＳＳ３２の制御によって、ＷＳＳ３２から光カプラ３３を介して光アンプ１３に入力される光は、各チャネルＣｈ２，Ｃｈ３に対応するＡＳＥを含むことになるため、チャネルＣｈ１の信号光が高い偏光度を有していても、該信号光に隣接する波長帯域に信号光と同等レベルのパワーを有する無偏光なＡＳＥが存在することで、光アンプ１３への入力光の偏光度は低下する。よって、光伝送装置２は、少数チャネルの信号光を送信する場合であっても、光アンプ１３におけるＰＨＢの発生を抑えることができるので、従来のようなＰＨＢによるＯＳＮＲの劣化を抑制することが可能である。また、光伝送装置２は、複数の未使用チャネルＣｈ２，Ｃｈ３に対応したＡＳＥをＷＳＳ３２で選択してフィードバックするようにしたことで、信号光に最も近いチャネルＣｈ２のＡＳＥレベルを低下するので、信号光およびＡＳＥのクロストーク等を低減することも可能である。
【００４１】
なお、上記第２実施形態では、ＷＳＳ３２において未使用チャネルＣｈ２，Ｃｈ３に対応した波長帯域のＡＳＥが選択される一例を示したが、ＷＳＳ３２で選択するＡＳＥの波長帯域は、ＷＤＭ光のチャネル間隔と、信号光の波長に対して光アンプ１３の利得がＰＨＢにより実質的に低下する波長範囲とを考慮して適宜に設定することが可能である。
【００４２】
次に、本発明による光伝送装置の第３実施形態について説明する。
図６は、第３実施形態の構成を示すブロック図である。この第３実施形態の光伝送装置３は、送信部１０および受信部５０と、ＡＳＥ伝達部２０’とを備えており、ＷＤＭ光が双方向に伝送される図示しない伝送路の一端に接続されるターミナル局として機能する。
【００４３】
送信部１０は、上述した第１実施形態と同様の光送信機１１，合波器１２および光アンプ１３を有する。
受信部５０は、例えば、光アンプ５１、分波器５２および光受信機（ＲＸ）５３を有する。光アンプ５１は、伝送路より受信したＷＤＭ光を増幅して分波器５２に出力する。分波器５２は、１つの入力ポートＰｉｎと、ＷＤＭ光の最大チャネル数Ｎに対応した複数の出力ポートＰｏｕｔ１〜ＰｏｕｔＮとを有し、入力ポートＰｉｎに入力される光を波長に応じて分離して各出力ポートＰｏｕｔ１〜ＰｏｕｔＮから出力する。光受信機５３は、分波器５２の複数の出力ポートＰｏｕｔ１〜ＰｏｕｔＮのうちの使用チャネルに対応する出力ポート（図６の例では、出力ポートＰｏｕｔ１）に接続され、分波器５２から出力される信号光を受信処理する。ＷＤＭ光の使用チャネルは、ここでは送信側と同じチャネルが受信側にも設定されている。
【００４４】
ＡＳＥ伝達部２０’は、受信部５０内の分波器５２の複数の出力ポートＰｏｕｔ１〜ＰｏｕｔＮのうちで、使用チャネルＣｈ１に隣接する未使用チャネルＣｈ２に対応した出力ポートＰｏｕｔ２から出力される光を取り出し、該分波器５２の出力光を、送信部１０内の合波器１２の複数の入力ポートＰｉｎ１〜ＰｉｎＮのうちで、使用チャネルＣｈ１に隣接する未使用チャネルＣｈ２に対応した入力ポートＰｉｎ２に与える経路を形成する。この経路上には、上述した第１実施形態のＡＳＥ伝達部２０と同様なＶＯＡ２２、光カプラ２３、ＰＤ２４および制御器２５が設けられている。
【００４５】
上記のような構成の光伝送装置３において、受信部５０内の分波器５２の入力ポートＰｉｎに与えられる光は、光アンプ５１で増幅された信号光および広帯域のＡＳＥを含み、さらに、受信部５０に接続される伝送路上に光アンプが配置されている場合には、上流の光アンプで発生して累積したＡＳＥも含むことになる。ＡＳＥ伝達部２０’は、上記分波器５２への入力光に含まれるＡＳＥを利用し、該ＡＳＥのうちで使用チャネルＣｈ１に隣接する未使用チャネルＣｈ２に対応した波長帯域のＡＳＥを分波器５２の出力ポートＰｏｕｔ２より取り出す。そして、ＡＳＥ伝達部２０’は、取り出したＡＳＥをＶＯＡ２２に与え、該ＡＳＥのパワーが送信部１０内の光送信機１１から出力される信号光のパワーと
同等レベルとなるように、制御器２５によりＶＯＡ２２の光減衰量を制御し、該ＶＯＡ２２の出力光を送信部１０内の合波器１２の入力ポートＰｉｎ２に与える。
【００４６】
これにより、送信部１０内の合波器１２の出力ポートＰｏｕｔから出力されて光アンプ１３に入力される光は、チャネルＣｈ１の信号光が高い偏光度を有していても、該信号光に隣接する波長帯域に信号光と同等レベルのパワーを有する無偏光なＡＳＥが存在することになるので、光アンプ１３への入力光の偏光度は低下する。よって、同一装置内の受信側のＡＳＥを利用するようにした光伝送装置３についても、上述した第１実施形態の場合と同様の効果を得ることが可能である。
【００４７】
次に、本発明による光伝送装置の第４実施形態について説明する。
図７は、第４実施形態の構成を示すブロック図である。この第４実施形態の光伝送装置４は、上述した第３実施形態の場合と同様な送信部１０および受信部５０と、ＡＳＥ伝達部３０’とを備えており、ＷＤＭ光が双方向に伝送される図示しない伝送路の一端に接続されるターミナル局として機能する。
【００４８】
ＡＳＥ伝達部３０’は、受信部５０内の光アンプ５１と分波器５２の間に挿入した光カプラ３１により光アンプ５１の出力光の一部を分岐し、該分岐光を、送信部１０内の合波器１２と光アンプ１３の間に配置したＷＳＳ３２に与える経路を形成する。このＡＳＥ伝達部３０’のＷＳＳ３２、並びに、該ＷＳＳ３２の動作を制御するための光カプラ３３、ＰＤ３４および制御器３５は、上述した第２実施形態のＡＳＥ伝達部３０と同様の構成である。
【００４９】
上記のような構成の光伝送装置４において、受信部５０内の光アンプ５１の出力光は、該光アンプ５１で増幅された信号光および広帯域のＡＳＥを含み、さらに、受信部５０に接続される伝送路上に光アンプが配置されている場合には、上流の光アンプで発生して累積したＡＳＥも含むことになる。ＡＳＥ伝達部３０’は、上記光アンプ５１の出力光の一部をＷＳＳ３２に与え、該ＷＳＳ３２において、上述した第２実施形態の場合と同様にして、使用チャネルＣｈ１に隣接する未使用チャネルＣｈ２，Ｃｈ３に対応した波長帯域のＡＳＥを選択的に信号光と合波する。
【００５０】
これにより、送信側のＷＳＳ３２から光カプラ３３を介して光アンプ１３に入力される光は、チャネルＣｈ１の信号光が高い偏光度を有していても、該信号光に隣接する波長帯域に信号光と同等レベルのパワーを有する無偏光なＡＳＥが存在することになるので、光アンプ１３への入力光の偏光度は低下する。よって、同一装置内の受信側のＡＳＥを利用するようにした光伝送装置４についても、上述した第２実施形態の場合と同様の効果を得ることが可能である。
【００５１】
なお、上述した第１〜第４実施形態では、ＷＤＭ光の使用チャネルが信号波長帯の一端に設定され、それに隣接する未使用チャネルが片側にだけ存在する場合を示したが、使用チャネルが信号波長帯の両端以外に設定されている場合には、該使用チャネルの短波長側および長波長側に隣接する未使用チャネルのいずれか一方若しくは両方に対応する波長帯域のＡＳＥが、信号光と合波されるようにすることが可能である。
【００５２】
以上の各実施形態に関して、さらに以下の付記を開示する。
（付記１）  波長の異なる複数の信号光が合波されたＷＤＭ光を送信することが可能な光伝送装置であって、
前記ＷＤＭ光の使用チャネルに対応した信号光を生成する光送信機と、
複数の入力ポートおよび１つの出力ポートを有し、前記光送信機で生成された信号光が前記複数の入力ポートのうちで前記ＷＤＭ光の使用チャネルに対応する入力ポートに与え
られ、前記複数の入力ポートに入力される各光を合波して前記出力ポートから出力する合波器と、
前記合波器の出力光を増幅する光アンプと、
前記光アンプから出力される光の一部を分岐し、該分岐光に含まれる自然放出光のうちで、前記ＷＤＭ光の使用チャネルに隣接する未使用チャネルに対応した波長帯域の自然放出光を、前記光送信機および前記光アンプの間を伝搬する信号光に合波するための経路を形成するＡＳＥ伝達部と、
を備えたことを特徴とする光伝送装置。
【００５３】
（付記２）  付記１に記載の光伝送装置であって、
前記ＡＳＥ伝達部は、
前記光アンプの出力端に接続され、前記光アンプから出力される光の一部を分岐する光カプラと、
前記光カプラで分岐された光のパワーを制御し、該パワーの制御された光を、前記合波器の複数の入力ポートのうちで前記ＷＤＭ光の使用チャネルに隣接する未使用チャネルに対応した入力ポートに与える光パワー制御部と、
を含むことを特徴とする光伝送装置。
【００５４】
（付記３）  付記２に記載の光伝送装置であって、
前記光パワー制御部は、
前記光カプラで分岐された光が入力され、該入力光のパワーを可変の光減衰量に従って調整し、該パワーの調整された光を、前記合波器の前記未使用チャネルに対応した入力ポートに与える可変光減衰器と、
前記可変光減衰器を含む前記自然放出光のフィードバックループ上を伝搬する光のパワーをモニタするモニタ部と、
前記モニタ部でモニタされる光パワーに基づいて、フィードバックされる前記自然放出光のループゲインを求め、該ループゲインが０ｄＢ未満となるように、前記可変光減衰器の光減衰量を制御する制御器と、
を有することを特徴とする光伝送装置。
【００５５】
（付記４）  付記１に記載の光伝送装置であって、
前記ＡＳＥ伝達部は、
前記光アンプの出力端に接続され、前記光アンプから出力される光の一部を分岐する光カプラと、
少なくとも２つの入力端子と１つの出力端子を有し、前記合波器の出力光が一方の入力端子に与えられると共に、前記光カプラで分岐された光が他方の入力端子に与えられ、前記各入力端子に与えられた光を、該光に含まれる波長成分に応じて選択的に前記出力端子に結合させることが可能であり、該出力端子に結合した光を前記光アンプに与える波長選択スイッチと、
前記波長選択スイッチの一方の入力端子に与えられる信号光、および、前記波長選択スイッチの他方の入力端子に与えられる光に含まれる自然放出光のうちで、前記ＷＤＭ光の使用チャネルに隣接する未使用チャネルに対応した波長帯域の自然放出光が、前記波長選択スイッチの出力端子に結合されるように、前記波長選択スイッチの動作を制御する制御部と、
を含むことを特徴とする光伝送装置。
【００５６】
（付記５）  付記４に記載の光伝送装置であって、
前記制御部は、前記ＷＤＭ光の使用チャネルに隣接する複数の未使用チャネルに対応した波長帯域の自然放出光が、前記波長選択スイッチの出力端子に結合されるように、前記波長選択スイッチの動作を制御することを特徴とする光伝送装置。
【００５７】
（付記６）  付記４または５に記載の光伝送装置であって、
前記制御部は、
前記波長選択スイッチを含む前記自然放出光のフィードバックループ上を伝搬する光のパワーをモニタするモニタ部と、
前記ＷＤＭ光の使用チャネルに関する情報に応じて、前記波長選択スイッチで選択する信号光および自然放出光の波長帯域を制御すると共に、前記モニタ部でモニタされる光パワーに基づいて、フィードバックされる前記自然放出光のループゲインを求め、該ループゲインが０ｄＢ未満となるように、前記波長選択スイッチにおける前記自然放出光の出力端子への結合パワーを制御する制御器と、
を有することを特徴とする光伝送装置。
【００５８】
（付記７）  波長の異なる複数の信号光が合波されたＷＤＭ光を送受信することが可能な光伝送装置であって、
前記ＷＤＭ光の使用チャネルに対応した信号光を生成する光送信機と、
複数の入力ポートおよび１つの出力ポートを有し、前記光送信機で生成された信号光が、前記複数の入力ポートのうちで前記ＷＤＭ光の使用チャネルに対応する入力ポートに与えられ、前記複数の入力ポートに入力される各光を合波して前記出力ポートから出力する合波器と、
前記合波器の出力光を増幅して外部に送信する第１光アンプと、
外部から受信したＷＤＭ光を増幅する第２光アンプと、
１つの入力ポートおよび複数の出力ポートを有し、前記第２光アンプの出力光が前記入力ポートに与えられ、該入力光を波長に応じて分離して前記各出力ポートから出力する分波器と、
前記分波器の複数の出力ポートのうちで前記ＷＤＭ光の使用チャネルに対応する出力ポートに接続され、前記分波器から出力される信号光を受信処理する光受信機と、
前記第２光アンプの出力光に含まれる自然放出光のうちで、前記ＷＤＭ光の使用チャネルに隣接する未使用チャネルに対応した波長帯域の自然放出光を、前記光送信機および前記第１光アンプの間を伝搬する信号光に合波するための経路を形成するＡＳＥ伝達部と、
を備えたことを特徴とする光伝送装置。
【００５９】
（付記８）  付記７に記載の光伝送装置であって、
前記ＡＳＥ伝達部は、前記分波器の複数の出力ポートのうちで前記ＷＤＭ光の使用チャネルに隣接する未使用チャネルに対応する出力ポートから出力される光のパワーを制御し、該パワーの制御された光を、前記合波器の複数の入力ポートのうちで前記ＷＤＭ光の使用チャネルに隣接する未使用チャネルに対応した入力ポートに与える光パワー制御部を含むことを特徴とする光伝送装置。
【００６０】
（付記９）  付記８に記載の光伝送装置であって、
前記光パワー制御部は、
前記分波器の前記未使用チャネルに対応する出力ポートから出力される光が入力され、該入力光のパワーを可変の光減衰量に従って調整し、該パワーの調整された光を、前記合波器の前記未使用チャネルに対応した入力ポートに与える可変光減衰器と、
前記分波器から前記可変光減衰器を通って前記合波器に至る経路上を伝搬する光のパワーをモニタするモニタ部と、
前記モニタ部でモニタされる光パワーに基づいて、前記合波器に与えられる前記自然放出光のパワーが前記光送信機から出力される信号光のパワーと同等レベルとなるように、前記可変光減衰器の光減衰量を制御する制御器と、
を有することを特徴とする光伝送装置。
【００６１】
（付記１０）  付記７に記載の光伝送装置であって、
前記ＡＳＥ伝達部は、
前記第２光アンプの出力端に接続され、前記第２光アンプから出力される光の一部を分岐する光カプラと、
少なくとも２つの入力端子と１つの出力端子を有し、前記合波器の出力光が一方の入力端子に与えられると共に、前記光カプラで分岐された光が他方の入力端子に与えられ、前記各入力端子に与えられた光を、該光に含まれる波長成分に応じて選択的に前記出力端子に結合させることが可能であり、該出力端子に結合した光を前記第１光アンプに与える波長選択スイッチと、
前記波長選択スイッチの一方の入力端子に与えられる信号光、および、前記波長選択スイッチの他方の入力端子に与えられる光に含まれる自然放出光のうちで、前記ＷＤＭ光の使用チャネルに隣接する未使用チャネルに対応した波長帯域の自然放出光が、前記波長選択スイッチの出力端子に結合されるように、前記波長選択スイッチの動作を制御する制御部と、
を含むことを特徴とする光伝送装置。
【００６２】
（付記１１）  付記１０に記載の光伝送装置であって、
前記制御部は、前記ＷＤＭ光の使用チャネルに隣接する複数の未使用チャネルに対応した波長帯域の自然放出光が、前記波長選択スイッチの出力端子に結合されるように、前記波長選択スイッチの動作を制御することを特徴とする光伝送装置。
【００６３】
（付記１２）  付記１０または１１に記載の光伝送装置であって、
前記制御部は、
前記波長選択スイッチから出力される光のパワーをモニタするモニタ部と、
前記ＷＤＭ光の使用チャネルに関する情報に応じて、前記波長選択スイッチで選択する信号光および自然放出光の波長帯域を制御すると共に、前記モニタ部でモニタされる光パワーに基づいて、前記第１光アンプに入力される信号光パワーおよび自然放出光パワーが同等レベルとなるように、前記波長選択スイッチにおける前記自然放出光の出力端子への結合パワーを制御する制御器と、
を有することを特徴とする光伝送装置。
【００６４】
（付記１３）  付記１〜１２のいずれか１つに記載の光伝送装置を、伝送路の末端に接続することを特徴とする光伝送システム。
【符号の説明】
【００６５】
１〜４…光伝送装置
１０…送信部
１１…光送信機（ＴＸ）
１２…合波器
１３，５１…光アンプ
２０，２０’，３０，３０’…ＡＳＥ伝達部
２１，２３，３１，３３…光カプラ
２２…可変光減衰器（ＶＯＡ）
２４，３４…フォトダイオード（ＰＤ）
２５，３５…制御器
３２…波長選択スイッチ（ＷＳＳ）
５０…受信部
５２…分波器
５３…光受信機（ＲＸ）
１００…ＷＤＭ光伝送システム
１１０，１５０…ターミナル局
Ｐｉｎ，Ｐｉｎ１〜ＰｉｎＮ…入力ポート
Ｐｏｕｔ，Ｐｏｕｔ１〜ＰｏｕｔＮ…出力ポート
【図１】
0005724416.tif 000002
【図２】
0005724416.tif 000003
【図４】
0005724416.tif 000004
【図６】
0005724416.tif 000005
【図７】
0005724416.tif 000006
【図３】
0005724416.tif 000007
【図５】
0005724416.tif 000008